(57)【要約】マイクロレンズを備えたクローズアップレンズユニットと、このクローズアップレンズユニットと開閉自在に連結してなる凹レンズを備えたワイドコンバージョンレンズユニットと、クローズアップレンズユニットにレンズの光軸を同一にしてワイドコンバージョンレンズユニットをワンタッチで取り付ける取付け手段とを備えたコンバージョンレンズとすることによって、マクロとワイド機能を有するレンズを目的毎に迅速にワンタッチで切り換えることを可能とした。
2004003659.tif 000002
【特許請求の範囲】
【請求項１】
円筒形状に形成され、マクロレンズを備えたクローズアップレンズユニットと、
該クローズアップレンズユニットと重ね合わせて配置し、略同一形状の円筒形状に形成され、凹レンズを備えたワイドコンバージョンレンズユニットと、
前記クローズアップレンズユニットにレンズの光軸を同一にして前記ワイドコンバージョンレンズユニットを取り付ける取付け手段と、
を備えたことを特徴とするコンバージョンレンズ。
【請求項２】
前記取付け手段は、前記ワイドコンバージョンレンズユニットを前記クローズアップレンズユニットの外周の一部を支軸にして開閉自在に取り付ける開閉取付部と、該開閉取付部で取り付け、光軸が一致したときにロックするロック部材とからなる請求の範囲第１項記載のコンバージョンレンズ。
【請求項３】
前記取付け手段は、前記ワイドコンバージョンレンズユニットを前記クローズアップレンズユニットの外周の位置を支軸にして回動させて光軸を同一にする回動支軸部と、光軸を同一にしたときにロックするロック部材とからなる請求の範囲第１項記載のコンバージョンレンズ。
【請求項４】
前面にレンズを備え、撮影する機能を備えたカメラであって、
前記レンズは、円筒形状に形成され、マクロレンズを備えたクローズアップレンズユニットと、該クローズアップレンズユニットと重ね合わせて配置し、略同一の円筒形状に形成され、凹レンズを備えたワイドコンバージョンレンズユニットと、前記クローズアップレンズユニットにレンズの光軸を同一にして前記ワイドコンバージョンレンズユニットを取り付ける取付け手段とを備えたことを特徴とするコンバージョンレンズを備えたカメラ。
【請求項５】
前記取付け手段は、前記ワイドコンバージョンレンズユニットを前記クローズアップレンズユニットの外周の一部を支軸にして開閉自在に取り付ける開閉取付部と、該開閉取付部と対向する位置に設けたロック部材とからなる請求の範囲第４項記載のコンバージョンレンズを備えたカメラ。
【請求項６】
前記取付け手段は、前記ワイドコンバージョンレンズユニットを前記クローズアップレンズユニットの外周の位置を支軸にして回動させて光軸を同一にする回動支軸部と、光軸を同一にしたときにロックするロック部材とからなる請求の範囲第４項記載のコンバージョンレンズを備えたカメラ。
【発明の詳細な説明】
【技術分野】  本発明は、コンバージョンレンズ及びコンバージョンレンズを備えたカメラに関するものであり、詳しくは、ワイドとマクロ共用のコンバージョンレンズを開閉或いは回動自在な構造にして、用途に応じてワイドに又はマクロにできる構造のコンバージョンレンズ及びコンバージョンレンズを備えたカメラに関する。
【背景技術】  従来技術におけるワイドコンバージョン用のレンズは、別途ワイド用レンズをカメラに取り付けるようにして使用し、又、マクロ撮影のためのマクロレンズは標準レンズの前に取り付けて使用することが周知の事実である。
しかしながら、従来技術で説明したワイドレンズ及びマクロレンズは各々別体であり、使用する際に、それぞれのレンズを取り外しては所望のレンズを取り付けるといった作業が必要であり、使い勝手が悪いという問題があった。
従って、ワイドとマクロの機能を有するレンズを基本的には取り付けておき、ワイド又はマクロを選択したときワンタッチで切り換えることができるレンズ構造に解決しなければならない課題を有する。
【発明の開示】
上記課題を解決するための本願発明に係るコンバージョンレンズ及びこのコンバージョンレンズを備えたカメラは次に示す構成にすることである。
（１）コンバージョンレンズは、円筒形状に形成され、マクロレンズを備えたクローズアップレンズユニットと、該クローズアップレンズユニットと重ね合わせて配置し、略同一形状の円筒形状に形成され、凹レンズを備えたワイドコンバージョンレンズユニットと、前記クローズアップレンズユニットにレンズの光軸を同一にして前記ワイドコンバージョンレンズユニットを取り付ける取付け手段と、を備えたことである。
（２）前記取付け手段は、前記ワイドコンバージョンレンズユニットを前記クローズアップレンズユニットの外周の一部を支軸にして開閉自在に取り付ける開閉取付部と、該開閉取付部で取り付け、光軸が一致したときにロックするロック部材とからなる（１）に記載のコンバージョンレンズ。
（３）前記取付け手段は、前記ワイドコンバージョンレンズユニットを前記クローズアップレンズユニットの外周の位置を支軸にして回動させて光軸を同一にする回動支軸部と、光軸を同一にしたときにロックするロック部材とからなる（１）に記載のコンバージョンレンズ。
（４）コンバージョンレンズを備えたカメラは、前面にレンズを備え、撮影する機能を備えたカメラであって、前記レンズは、円筒形状に形成され、マクロレンズを備えたクローズアップレンズユニットと、該クローズアップレンズユニットと重ね合わせて配置し、略同一の円筒形状に形成され、凹レンズを備えたワイドコンバージョンレンズユニットと、前記クローズアップレンズユニットにレンズの光軸を同一にして前記ワイドコンバージョンレンズユニットを取り付ける取付け手段とを備えたことである。
（５）前記取付け手段は、前記ワイドコンバージョンレンズユニットを前記クローズアップレンズユニットの外周の一部を支軸にして開閉自在に取り付ける開閉取付部と、該開閉取付部と対向する位置に設けたロック部材とからなる（４）に記載のコンバージョンレンズを備えたカメラ。
（６）前記取付け手段は、前記ワイドコンバージョンレンズユニットを前記クローズアップレンズユニットの外周の位置を支軸にして回動させて光軸を同一にする回動支軸部と、光軸を同一にしたときにロックするロック部材とからなる（４）に記載のコンバージョンレンズを備えたカメラ。
【図面の簡単な説明】  第１図は、本発明に係る第１の実施形態のコンバージョンレンズを示す略示的な外観図である。
第２図は、同、ワイドコンバージョンレンズユニットを取り外したときの全体外観図である。
第３図は、本発明に係る第２の実施形態のコンバージョンレンズを備えたカメラを示す一部断面にした説明図である。
第４図は、同、ワイドコンバージョンレンズユニットを取り外したときのカメラの一部断面にした説明図である。
第５図は、本発明に係る第３の実施形態のコンバージョンレンズを正面からみた略示的な外観図である。
第６図は、同、第３の実施形態のコンバージョンレンズを側面からみると共に一部断面した略示的な外観図である。
第７図は、同、第３の実施形態のワイドコンバージョンレンズユニットを回動させてクローズアップレンズユニットによる接写撮影するときの正面図である。
第８図は、同、第３の実施形態のワイドコンバージョンレンズユニットを回動させてクローズアップレンズユニットによる接写撮影するときの一部断面にした側面図である。
【発明を実施するための最良の形態】  次に、本発明に係るコンバージョンレンズ及びコンバージョンレンズを備えたカメラの実施形態について、図面を参照して説明する。
本願発明に係る第１の実施形態のコンバージョンレンズ及びコンバージョンレンズを備えたカメラは、第１図及び第２図に示すように、撮影する機能を有するカメラ本体９と、レンズユニット１０とから構成されている。
レンズユニット１０は、円筒形状に形成され、マクロレンズ１１を備えたクローズアップレンズユニット１２と、このクローズアップレンズユニット１２と開閉自在に連結し、略同一の円筒形状に形成され、凹レンズ１３を備えたワイドコンバージョンレンズユニット１４と、クローズアップレンズユニット１２にレンズの光軸を同一にしてワイドコンバージョンレンズユニット１４をワンタッチで取り付ける取付け手段とを備えた構成になっている。
クローズアップレンズユニット１２は、鏡筒１５にマクロレンズ１１を備えた構造になっており、ワイドコンバージョンレンズユニット１４は鏡筒１６に凹レンズ１３を備えた構造になっており、このクローズアップレンズユニット１２の基部側にはカメラに取り付けるカメラ取付部１７を備えた構造になっている。
取付け手段は、ワイドコンバージョンレンズユニット１４をクローズアップレンズユニット１２に開閉自在に取り付ける開閉取付部１８と、この開閉取付部１８と対向する位置に設けたロック部材１９とからなる。
開閉取付部１８は、ワイドコンバージョンレンズユニット１４の下部端に設けたヒンジ２０にクローズアップレンズユニット１２の支持板部２１を係合させ、その係合させた係合穴２２に回動棒２３を嵌合させて一点支持構造にした構造になっている。
ロック部材１９は、クローズアップレンズユニット１２側に設けた凹形状の窪みを有するロック部２４と、ワイドコンバージョンレンズユニット１４側に設けた凸部２５とからなる。このような構造のロック部材１９は、クローズアップレンズユニット１２に開閉取付部１８を支軸にして回動させてワイドコンバージョンレンズユニット１４を組み合わせるときにロック部２４に凸部２５をワンタッチで係合させることによりレンズの光軸を一致させた状態で組み立てることができる。
次に、本願発明に係る第２の実施形態のコンバージョンレンズを備えたカメラについて、図面を参照して説明する。
コンバージョンカメラを備えたカメラは、第３図及び第４図に示すように、撮影する機能を有するカメラ本体３１と、コンバージョンレンズ３２とからなる。
コンバージョンレンズ３２は、マクロレンズ３３を備えたクローズアップレンズユニット３４と、このクローズアップレンズユニット３４に取り付け自在に連結してなる凹レンズ３５を備えたワイドコンバージョンレンズユニット３６と、クローズアップレンズユニット３４にレンズの光軸を同一にしてワイドコンバージョンレンズユニット３６をワンタッチで取り付ける取付け手段とを備えた構成になっている。
取付け手段は、ワイドコンバージョンレンズユニット３６をクローズアップレンズユニット３４に取り付ける取付部３７と、この取付部３７と対向する位置に設けたロック部材３８とからなる。
取付部３７は、蛇腹形状に形成され、上部がクローズアップレンズユニット３４の下部端に取り付けられ、下部がワイドコンバージョンレンズユニット３６の下部端に取り付けられた構造になっている。
ロック部材３８は、クローズアップレンズユニット３４に設けてある支持部３９にワイドコンバージョンレンズユニット３６の爪部４０を係合させる構造になっており、組み立てたときに互いにワンタッチで係合できる構造となっている。
又、係合するときには、レンズの光軸Ｏを一致させるための光軸ガイド部４１を設けた構造になっており、これにより、互いに組み立てられたときにマクロレンズ３３と凹レンズ３５との光軸Ｏが一致した状態となる。
このような構造からなるコンバージョンレンズ３２を備えたカメラは、クローズアップレンズユニット３４とワイドコンバージョンレンズユニット３６が組立てられた状態のときには、ワイド機能として働き、ロック部材３８を取り外すことにより、ワイドコンバージョンレンズユニット３６が外れ、マクロ機能として働くことができる。
上記説明した２つの実施形態については、水中で使用するようにすることが可能であり、その場合には、クローズアップレンズユニット及びワイドコンバージョンレンズに防水処理を施しておくと、水中用カメラに取り付けることで水中でも、ワイド及びマクロの切り替えができるのである。
又、クローズアップレンズユニットに組み立てるワイドコンバージョンレンズユニットの構造は、光軸を同一にして且つ開閉自在な構造としたものとして、上記２つの実施例で開示されているヒンジ構造、蛇腹構造のものに限定されることなく、例えば、二点支持構造のものでもよく、更に、ワイドコンバージョンレンズユニットはクローズアップレンズユニットからワンタッチで操作できる構造のものであれば良いことは勿論のことである。
次に、本願発明に係る第３の実施形態のコンバージョンレンズを備えたカメラについて、図面を参照して説明する。
本願発明に係る第３の実施形態のコンバージョンレンズを備えたカメラは、第５図及び第６図、第７図及び第８図に示すように、撮影機能を備えたカメラ本体５１と、このカメラ本体５１に装着するコンバージョンレンズ５２とからなる。
コンバージョンレンズ５２は、円筒形状に形成された鏡筒に凹レンズ５３を備えたワイドコンバージョンレンズユニット５４と、略同一形状の円筒形状に形成された鏡筒に、マクロレンズ５５を備えたクローズアップレンズユニット５６と、クローズアップレンズユニット５６にレンズの光軸を同一にしてワイドコンバージョンレンズユニット５４を回動して重ね合わせて取り付ける取付け手段とからなる。
取付け手段は、ワイドコンバージョンレンズユニット５４をクローズアップレンズユニット５６の外周の位置を支軸にして回動させて光軸を同一にする回動支軸部５７と、光軸を同一にしたときにロックするロック部材５８とからなる。
回動支軸部５７は、クローズアップレンズユニット５６の外周の下端部一部を突出させて回動支持部５９を備え、ワイドコンバージョンレンズユニット５４の外周の下端部の一部を突出させた回動支持受部６０を回動支持部５９に係合させ、その係合させた略中心位置に設けた係合穴６１に回動棒６２を係合させて回動軸６３とした構造となっている。
このようにして回動支軸部５７によりワイドコンバージョンレンズユニット５４とクローズアップレンズユニット５６を係合させると、接触する面同士が密係合に接する。又、回動軸６３を支点にして回動する場合にも、密係合の状態でワイドコンバージョンレンズユニット５４を回動させることができるため、光軸Ｏでのレンズの距離関係の狂いは無くすか最小限の誤差にすることができる。
このように、ワイドコンバージョンレンズユニット５４が回動軸６３を支点にして回動することにより、クローズアップレンズユニット５６の光軸Ｏから外れた位置にワイドコンバージョンレンズユニット５４を動か−してマクロ（接写）撮影が可能になり、又、ワイドコンバージョンレンズユニットを回動させて光軸Ｏを同一にしてワイド（広角）撮影が可能になる。
ロック部材５８は、回動支軸部５７と対向する位置の上部に設けたものであり、クローズアップレンズユニット５６の係止受部６４と、ワイドコンバージョンレンズユニット５４の係止部６５が雌雄の関係で係合してロックする構造となっている。このロック部材５８でロックされるとワイドコンバージョンレンズユニット５４の凹レンズ５３とクローズアップレンズユニット５６のマクロレンズ５５の光軸Ｏが一致する構成になっている。
このような構成からなるレンズユニット５２は、広角で撮影するときには、第５図及び第６図に示すように、ワイドコンバージョンレンズユニット５４がクローズアップレンズユニット５６に重ね合わせた状態で、ロック部材５８でロックされ、光軸Ｏが一致した状態に維持される。
接写で撮影する場合には、第７図及び第８図に示すように、ワイドコンバージョンレンズユニット５４のロック部材５８を外し、回動支軸部５７の回動軸６３を支点にして回動させることでクローズアップレンズユニット５６の光軸Ｏから外した状態にして接写撮影が可能になる。
このとき回動支軸部５７は、回動支持部５９と回動支持受部６０との間に所定の摩擦係数が存在しているために、ワイドコンバージョンレンズユニット５４は外れた状態でふらふらせず、半ば固定化された状態となっている。従って、撮影時の違和感は存在しない。
又、ワイドコンバージョンレンズユニット５４とクローズアップレンズユニット５６との間は、回動させて面同士を摺動させる構造であるが、その接触面は密な突き合わせ状態となり、空中でも水中でもレンズに与える影響は無視できる構成になっている。
この第３の実施形態については、水中で使用するようにすることが可能であり、その場合には、クローズアップレンズユニット５６及びワイドコンバージョンレンズユニット５４に防水処理を施しておくと、水中用カメラに取り付けることで水中でも、ワイド及びマクロの切り替えができるのである。その切り替えはロック部材５８を外し、ワイドコンバージョンレンズユニット５４を回動させることで接写撮影ができ、重ね合わせることで広角撮影ができるのである。
【産業上の利用可能性】  以上、説明したように、本発明に係るコンバージョンレンズは、ワイド機能とマクロ機能を有するワイドコンバージョンレンズユニットとクローズアップレンズユニットとを通常は組み立てた状態にしておき、マクロ機能のときにワイドコンバージョンレンズユニットをワンタッチで外れる取付け手段により光軸から外れた状態に極めて迅速且つ簡単に行うことができる。
又、コンバージョンレンズを備えたカメラにおいては、撮影中においてマクロ撮影したいときにワイドコンバージョンレンズユニットを即座に外すことができるため、必要なときに迅速にマクロ機能にできる。
【図１】
2004003659.tif 000003
【図２】
2004003659.tif 000004
【図３】
2004003659.tif 000005
【図４】
2004003659.tif 000006
【図５】
2004003659.tif 000007
【図６】
2004003659.tif 000008
【図７】
2004003659.tif 000009
【図８】
2004003659.tif 000010
【国際調査報告】
2004003659.tif 000011
2004003659.tif 000012
2004003659.tif 000013
2004003659.tif 000014